(57)【要約】【課題】この発明は、ユーザが電子番組表から視聴したい番組を選択したとき、その番組をユーザの視聴状況に応じて適応的に自動記録することにより、容易にユーザの視聴に供させることを可能とし、ユーザにとっての取り扱いを便利にし得る放送受信装置及び放送受信方法を提供することを目的としている。【解決手段】取得した番組情報（ＥＰＧ情報）に基づいて作成された電子番組表から番組を選択して登録する登録手段（１４，１７，６３ｅ）と、登録された番組が視聴されていないとき、その番組に対する記録を実行させ、登録された番組が視聴されているとき、その番組に対する記録を行なわせない制御手段（６３ｅ）とを備える。【選択図】    図７
2010041124.tif 000002
【特許請求の範囲】
【請求項１】
番組情報を取得する取得手段と、
前記取得手段で取得した番組情報に基づいて電子番組表を作成する作成手段と、
前記作成手段で作成された電子番組表から番組を選択して登録する登録手段と、
前記登録手段で登録された番組が視聴されていないとき、その番組に対する記録を実行させ、前記登録手段で登録された番組が視聴されているとき、その番組に対する記録を行なわせない制御手段とを具備することを特徴とする放送受信装置。
【請求項２】
前記制御手段は、前記登録手段で登録された番組が視聴されていない状態において、記録可能な状態となっている記録機器が存在する場合に、その記録機器を指定して登録番組の記録を行なわせ、記録可能な状態となっている記録機器が存在しない場合には登録番組の記録を行なわないことを特徴とする請求項１記載の放送受信装置。
【請求項３】
前記制御手段は、前記登録手段で登録された番組のうち、記録された番組と記録されなかった番組とを含むリストを作成することを特徴とする請求項１記載の放送受信装置。
【請求項４】
前記登録手段は、同一時間帯に重なって放送される複数の番組が登録された場合、その複数の番組に対して記録を行なう際の優先順位を設定することを特徴とする請求項１記載の放送受信装置。
【請求項５】
前記登録手段は、登録された順序で優先順位を設定することを特徴とする請求項４記載の放送受信装置。
【請求項６】
前記制御手段は、前記登録手段により同一時間帯に重なって放送される複数の番組が登録された状態において、その複数の番組のいずれもが視聴されていないとき、それらの番組に対する記録を行なわせ、その複数の番組のうちの１つが視聴されているとき、その視聴されている番組を除く他の番組に対する記録を行なわせることを特徴とする請求項１記載の放送受信装置。
【請求項７】
前記制御手段は、前記登録手段により同一時間帯に重なって放送される複数の番組が登録された状態において、その複数の番組のうち受信可能な番組数が記録可能な記録機器の台数以上ある場合、予め設定された優先順位に基づいて番組の記録を行なわせることを特徴とする請求項１記載の放送受信装置。
【請求項８】
番組情報を取得する工程と、
取得した番組情報に基づいて電子番組表を作成する工程と、
作成された電子番組表から番組を選択して登録する工程と、
登録された番組が視聴されていないときその番組に対する記録を実行させ、登録された番組が視聴されているときその番組に対する記録を行なわせない工程とを有することを特徴とする放送受信方法。
【発明の詳細な説明】
【技術分野】
【０００１】
この発明は、電子番組表からユーザが選択した番組を受信して記録に供させる放送受信装置及び放送受信方法の改良に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
このようなデジタルテレビジョン放送を受信するデジタルテレビジョン放送受信装置にあっては、放送信号から取得したＥＰＧ（Electronic Program Guide）情報に基づいて電子番組表を作成し、画面に映像表示している。そして、ユーザは、映像表示された電子番組表から所望の番組を選択して、視聴や記録等を行なうことができる。
【０００４】
また、このようなデジタルテレビジョン放送を受信するデジタルテレビジョン放送受信装置にあっては、例えばＨＤＤ（hard disk drive）等のような大容量のデジタル記録機器を内蔵し、受信した番組をデジタル記録させたり、記録した番組を再生させたりすることが可能となっている。
【０００５】
さらに、現在では、デジタルテレビジョン放送受信装置に対して、デジタルテレビジョン放送の受信機能を有する複数のデジタル記録機器を接続し、デジタルテレビジョン放送受信装置が、任意のデジタル記録機器を指定して、選択した番組の受信や記録を行なわせたり、記録番組の再生を行なわせたりすることができるようになっている。
【０００６】
ところで、この種のデジタルテレビジョン放送受信装置においては、ユーザが視聴したい番組を電子番組表から選択したとき、例えば、選択した番組をどのデジタル記録機器に記録させるかを指定する等の煩雑な操作を行なわせることなく、容易に番組を記録してユーザの視聴に供させるようにすることが重要になっている。
【０００７】
特許文献１には、放送が予定されている番組に対する番組情報と、録画されている過去の番組に対する番組情報とを番組一覧表として一画面上に表示することと、記憶メディアがもつ全記憶領域を記録内容毎に連続アクセス可能な記憶単位に分割して管理し、記憶単位に関する情報を録画状況一覧表として表示可面に表示することとが開示されている。
【特許文献１】特開２００１−３１３８７８号公報
【発明の開示】
【発明が解決しようとする課題】
【０００８】
そこで、この発明は上記事情を考慮してなされたもので、ユーザが電子番組表から視聴したい番組を選択したとき、その番組をユーザの視聴状況に応じて適応的に自動記録することにより、容易にユーザの視聴に供させることを可能とし、ユーザにとっての取り扱いを便利にし得る放送受信装置及び放送受信方法を提供することを目的とする。
【課題を解決するための手段】
【０００９】
この発明に係る放送受信装置は、番組情報を取得する取得手段と、取得手段で取得した番組情報に基づいて電子番組表を作成する作成手段と、作成手段で作成された電子番組表から番組を選択して登録する登録手段と、登録手段で登録された番組が視聴されていないとき、その番組に対する記録を実行させ、登録手段で登録された番組が視聴されているとき、その番組に対する記録を行なわせない制御手段とを備えるようにしたものである。
【００１０】
また、この発明に係る放送受信方法は、番組情報を取得する工程と、取得した番組情報に基づいて電子番組表を作成する工程と、作成された電子番組表から番組を選択して登録する工程と、登録された番組が視聴されていないときその番組に対する記録を実行させ、登録された番組が視聴されているときその番組に対する記録を行なわせない工程とを有するようにしたものである。
【発明の効果】
【００１１】
上記した発明によれば、ユーザが登録した番組が視聴されていないとき、その番組に対する記録を実行させ、登録された番組が視聴されているとき、その番組に対する記録を行なわせない、つまり、ユーザが電子番組表から視聴したい番組を選択したとき、その番組をユーザの視聴状況に応じて適応的に自動記録するようにしたので、容易にユーザの視聴に供させることを可能とし、ユーザにとっての取り扱いを便利にすることができる。
【発明を実施するための最良の形態】
【００１２】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等を備えた平面パネル型ディスプレイである映像表示器１４、１対のスピーカ１５、操作部１６、リモートコントローラ１７から送信される操作情報を受ける受光部１８等が設置されている。
【００１４】
また、このデジタルテレビジョン放送受信装置１１には、例えばＳＤ（secure digital）メモリカード、ＭＭＣ（multimedia card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード［ＩＣ（integrated circuit）カード］２０が着脱可能となっている。そして、この第２のメモリカード２０に対して契約情報の再生が行なわれるようになっている。
【００１６】
また、このデジタルテレビジョン放送受信装置１１は、第１のＬＡＮ（local area network）端子２１、第２のＬＡＮ端子２２、ＵＳＢ（universal serial bus）端子２３及びＩＥＥＥ（institute of electrical and electronics engineers）１３９４端子２４を備えている。
【００１７】
このうち、第１のＬＡＮ端子２１は、ＬＡＮ対応ＨＤＤ専用ポートとして使用されるもので、接続されたＮＡＳ（network attached storage）であるＬＡＮ対応のＨＤＤ（hard disk drive）２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができるようになる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、デジタル放送受信機能を有するＨＤＤ内蔵のＤＶＤ（digital versatile disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続可能であり、そのネットワーク３２を介してＰＣ３３や携帯電話３４等の各種情報端末と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記ＩＥＥＥ１３９４端子２４は、例えば、それぞれがデジタル放送受信機能を有するＡＶ（audio video）−ＨＤＤ４１やＤ（digital）−ＶＨＳ（video home system）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタル放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（phase shift keying）復調器４６に供給されてＴＳ（transport stream）が復調される。このＴＳは、ＴＳ復号器４７に供給されてデジタルの映像信号及び音声信号等に復号化された後、信号処理部４８に出力される。
【００２６】
また、地上波放送受信用のアンテナ４９で受信した地上デジタルテレビジョン放送信号は、入力端子５０を介して地上デジタル放送用のチューナ５１に供給されることにより、所望のチャンネルの放送信号が選局される。
【００２７】
そして、このチューナ５１で選局された放送信号は、ＯＦＤＭ（orthogonal frequency division multiplexing）復調器５２に供給されてＴＳが復調される。このＴＳは、ＴＳ復号器５３に供給されてデジタルの映像信号及び音声信号に復号化された後、上記信号処理部４８に出力される。
【００２８】
また、上記地上波放送受信用のアンテナ４９で受信した地上アナログテレビジョン放送信号は、入力端子５０を介して地上アナログ放送用のチューナ５４に供給されることにより、所望のチャンネルの放送信号が選局される。そして、このチューナ５４で選局された放送信号は、アナログ復調器５５に供給されてアナログの映像信号及び音声信号に復調された後、上記信号処理部４８に出力される。
【００２９】
ここで、上記信号処理部４８は、ＴＳ復号器４７，５３からそれぞれ供給されたデジタルの映像信号及び音声信号に対して、選択的に所定のデジタル信号処理を施し、グラフィック処理部５６及び音声処理部５７に出力している。
【００３０】
また、上記信号処理部４８には、複数（図示の場合は４つ）の入力端子５８ａ，５８ｂ，５８ｃ，５８ｄが接続されている。これら入力端子５８ａ〜５８ｄは、それぞれ、アナログの映像信号及び音声信号を、デジタルテレビジョン放送受信装置１１の外部から入力可能とするものである。
【００３１】
そして、この信号処理部４８は、上記アナログ復調器５５及び各入力端子５８ａ〜５８ｄからそれぞれ供給されたアナログの映像信号及び音声信号を選択的にデジタル化し、そのデジタル化された映像信号及び音声信号に対して所定のデジタル信号処理を施した後、グラフィック処理部５６及び音声処理部５７に出力している。
【００３２】
このうち、グラフィック処理部５６は、信号処理部４８から供給されるデジタルの映像信号に、ＯＳＤ（on screen display）信号生成部５９で生成されるＯＳＤ信号を重畳して出力する機能を有する。また、このグラフィック処理部５６は、信号処理部４８の出力映像信号と、ＯＳＤ信号生成部５９の出力ＯＳＤ信号とを選択的に出力することや、両出力をそれぞれ画面の半分を構成するように組み合わせて出力することができる。
【００３３】
そして、グラフィック処理部５６から出力されたデジタルの映像信号は、映像処理部６０に供給される。この映像処理部６０は、入力されたデジタルの映像信号を、前記映像表示器１４で表示可能なフォーマットのアナログ映像信号に変換した後、映像表示器１４に出力して映像表示させるとともに、出力端子６１を介して外部に導出させる。
【００３４】
また、上記音声処理部５７は、入力されたデジタルの音声信号を、前記スピーカ１５で再生可能なフォーマットのアナログ音声信号に変換した後、スピーカ１５に出力して音声再生させるとともに、出力端子６２を介して外部に導出させる。
【００３５】
ここで、このデジタルテレビジョン放送受信装置１１は、上記した各種の受信動作を含むその全ての動作を制御部６３によって統括的に制御されている。この制御部６３は、ＣＰＵ（central processing unit）６３ａを内蔵しており、前記操作部１６からの操作情報を受け、または、リモートコントローラ１７から送出され前記受光部１８で受信した操作情報を受けて、その操作内容が反映されるように各部をそれぞれ制御している。
【００３６】
この場合、制御部６３は、主として、そのＣＰＵ６３ａが実行する制御プログラムを格納したＲＯＭ（read only memory）６３ｂと、該ＣＰＵ６３ａに作業エリアを提供するＲＡＭ（random access memory）６３ｃと、各種の設定情報及び制御情報等が格納される不揮発性メモリ６３ｄとを利用している。
【００３７】
また、この制御部６３は、カードＩ／Ｆ（interface）６４を介して、前記第１のメモリカード１９が装着可能なカードホルダ６５に接続されている。これによって、制御部６３は、カードホルダ６５に装着された第１のメモリカード１９と、カードＩ／Ｆ６４を介して情報伝送を行なうことができる。
【００３８】
さらに、上記制御部６３は、カードＩ／Ｆ６６を介して、前記第２のメモリカード２０が装着可能なカードホルダ６７に接続されている。これにより、制御部６３は、カードホルダ６７に装着された第２のメモリカード２０と、カードＩ／Ｆ６６を介して情報伝送を行なうことができる。
【００３９】
また、上記制御部６３は、通信Ｉ／Ｆ６８を介して第１のＬＡＮ端子２１に接続されている。これにより、制御部６３は、第１のＬＡＮ端子２１に接続されたＬＡＮ対応のＨＤＤ２５と、通信Ｉ／Ｆ６８を介して情報伝送を行なうことができる。この場合、制御部６３は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００４０】
さらに、上記制御部６３は、通信Ｉ／Ｆ６９を介して第２のＬＡＮ端子２２に接続されている。これにより、制御部６３は、第２のＬＡＮ端子２２に接続された各機器（図１参照）と、通信Ｉ／Ｆ６９を介して情報伝送を行なうことができる。
【００４１】
また、上記制御部６３は、ＵＳＢ Ｉ／Ｆ７０を介して前記ＵＳＢ端子２３に接続されている。これにより、制御部６３は、ＵＳＢ端子２３に接続された各機器（図１参照）と、ＵＳＢ Ｉ／Ｆ７０を介して情報伝送を行なうことができる。
【００４２】
さらに、上記制御部６３は、ＩＥＥＥ１３９４ Ｉ／Ｆ７１を介してＩＥＥＥ１３９４端子２４に接続されている。これにより、制御部６３は、ＩＥＥＥ１３９４端子２４に接続された各機器（図１参照）と、ＩＥＥＥ１３９４ Ｉ／Ｆ７１を介して情報伝送を行なうことができる。
【００４３】
また、上記制御部６３は、このデジタルテレビジョン放送受信装置１１に内蔵されたＨＤＤ７２に接続されている。これにより、制御部６３は、デジタルまたはアナログの各種放送を受信して得た情報や、各種のＩ／Ｆ６４，６６，６８〜７１等を介して取得した情報等を、ＨＤＤ７２に対して記録再生することができる。
【００４４】
さらに、上記制御部６３は、番組記録制御部６３ｅを備えている。この番組記録制御部６３ｅは、詳細は後述するが、映像表示器１４に表示された電子番組表から、ユーザが視聴を希望する番組を選択すると、その選択した番組をユーザの視聴希望番組として自動的に登録するように機能する。そして、番組記録制御部６３ｅは、登録された番組の放送が開始されると、その番組を、デジタル記録機器を自動的に指定して記録させるように機能する。
【００４５】
この場合、番組を記録するデジタル記録機器としては、内蔵のＨＤＤ７２だけでなく、デジタルテレビジョン放送受信装置１１の外部に接続されている、ＨＤＤ２５、２７、３９、ＤＶＤレコーダ２９、ＡＶ−ＨＤＤ４１及びＤ−ＶＨＳ４２等のうち、記録可能な状態になっているものが自動的に選択される。
【００４６】
すなわち、ユーザは、電子番組表から視聴を希望する番組を選択するだけで、その番組を記録するためにデジタル記録機器を指定する等の煩雑な記録予約の操作を行なうことなく、容易に番組記録を行なうことができるようになる。
【００４７】
この場合、上記番組記録制御部６３ｅは、視聴希望番組として登録した番組の放送時間にユーザがその番組を選局していない、つまり、視聴していない場合に、当該番組に対する記録を実行するように制御する。また、登録した番組の放送時間にユーザがその番組を選局して視聴している場合には、当該番組の記録を行なわないように制御する。
【００４８】
これは、ユーザが視聴を希望した番組を視聴しているからであり、記録媒体の容量を無駄に使用することを避けるためである。このように、ユーザの視聴状況に応じて適応的に自動記録することにより、ユーザの選択した番組を容易にユーザの視聴に供させることを可能とし、ユーザにとっての取り扱いを便利にすることが可能となる。
【００４９】
さらに、上記番組記録制御部６３ｅは、ユーザが同一時間帯に放送される複数の番組を視聴希望番組として登録した場合には、それらの番組に対して、例えばユーザが登録した順に優先順位をつける。そして、同一時間帯に放送される登録番組の数が記録可能なデジタル記録機器の台数以下であれば、全ての番組に対して記録を実行する。また、同一時間帯に放送される登録番組の数が記録可能なデジタル記録機器の台数を超えている場合には、優先順位の高い番組から記録を実行する。
【００５０】
なお、同一時間帯に放送される複数の番組に対して、優先順位に基づいた記録を行なう際には、デジタル記録機器がデジタル放送受信機能を有するか否かも考慮される。すなわち、上記ＤＶＤレコーダ２９、ＡＶ−ＨＤＤ４１及びＤ−ＶＨＳ４２等は、デジタル放送受信機能を有するため、それ自身で番組を受信して記録することができる。
【００５１】
これに対し、上記ＨＤＤ２５，２７，３９，７２はデジタル放送受信機能を持たないため、デジタルテレビジョン放送受信装置１１で受信した番組のみを記録することになる。このため、同一時間帯に視聴希望登録した番組の数が、記録可能なデジタル記録機器の台数以下であっても、同時に受信することができる数の番組が記録に供されることになる。
【００５２】
このようにして視聴希望番組の記録が実行されると、上記番組記録制御部６３ｅは、記録した番組のリストを作成し、ユーザの操作に応じて映像表示器１４に表示する。この番組記録リストには、記録した各番組に対する記録時間、放送局名、番組名、記録先のデジタル記録機器等が表示される。また、この番組記録リストには、記録することができなかった番組についても、放送時間、放送局名、番組名等が表示される他、記録することができなかった旨のメッセージが表示される。
【００５３】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、ナビゲーションキー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００５４】
そして、このデジタルテレビジョン放送受信装置１１では、ユーザがリモートコントローラ１７の番組表キー１７ｈを操作することにより、上記番組記録制御部６３ｅで作成した電子番組表を映像表示器１４に表示させることができる。なお、この電子番組表は、予め放送信号やネットワーク等を介して取得した番組情報であるＥＰＧ情報に基づいて作成されるものである。
【００５５】
図４は、ユーザがリモートコントローラ１７の番組表キー１７ｈを操作したとき、映像表示器１４に表示される電子番組表の表示形態の一例を示している。この電子番組表は、水平方向が複数（図示の場合は６つ）の放送局（チャンネル）を配列したチャンネル軸となり、垂直方向が数時間（図示の場合は５時間）分の時間範囲に対応した時間軸となって、番組を表示している。
【００５６】
すなわち、この電子番組表は、そのチャンネル軸方向に、それぞれが、放送局（放送事業者）名及びそのチャンネル番号の表示を行なうための複数（図示の場合は６つ）のチャンネル表示枠７３１〜７３６を配列している。図４では、各チャンネル表示枠７３１〜７３６に、図中左から右に向けて、放送局（放送事業者）Ａ，Ｂ，Ｃ，Ｄ，Ｅ，Ｆとそのチャンネル番号０１１，０２１，０４１，０５１，０６１，０７１とが対応して表示されている。
【００５７】
また、この電子番組表は、その時間軸方向に、それぞれが、時系列的に連続する単位時間（図示の場合は１時間）の表示を行なうための複数（図示の場合は５時間分）の時間枠７４１〜７４５を配列している。図４では、各時間枠７４１〜７４５に、図中上から下に向けて、午前６時台、午前７時台、午前８時台、午前９時台、午前１０時台を示す５時間分が表示されている。
【００５８】
そして、各放送局Ａ，Ｂ，Ｃ，Ｄ，Ｅ，Ｆで放送が予定されている各種の番組Ａ１〜Ａ６，Ｂ１〜Ｂ５，Ｃ１〜Ｃ５，Ｄ１〜Ｄ５，Ｅ１〜Ｅ５，Ｆ１〜Ｆ５の情報が、チャンネル表示枠７３１〜７３６と時間枠７４１〜７４５とで指定された対応する領域にそれぞれ表示されるようになっている。
【００５９】
また、この電子番組表では、その図中上部に、現在受信している放送の種類が地上デジタルテレビジョン放送であることを示す「地上Ｄテレビ」なる表示と、現在日時が１０月２８日の土曜日の午前６時１３分であることを示す「現在日時  １０／２８（土）  ＡＭ６：１３」なる表示と、表示可能な電子番組表の日（曜日）の範囲を示す表示とが行なわれるようになっている。
【００６０】
すなわち、今、電子番組表は、現在日時が１０月２８日（土）の午前６時１３分であるため、１０月２８日（土）の午前６時から、その１週間後である１１月４日（土）の午前５時台（午前６時未満）までの分が作成されている。そして、表示可能な電子番組表の日（曜日）の範囲は、現在の日（曜日）を含めて１週間先までの日（曜日）、つまり、１０／２８（土），２９（日），３０（月），３１（火），１１／１（水），２（木），３（金），４（土）なる８日間が順次並べて表示されたものとなっている。この場合、現在表示されている電子番組表の日（曜日）を示す文字［１０／２８（土）］が、他の日（曜日）を示す文字よりも拡大して表示されるようにしている。
【００６１】
また、この電子番組表では、その図中下部に、現在選局されている（電子番組表上でカーソルによって指示されている）番組Ｃ１について、放送の種類（地上Ｄ）、チャンネル番号（０４１ｃｈ）、番組名（Ｃ１）及び放送時間（ＡＭ６：００〜ＡＭ７：３０）等を表示している。この場合、現在選局されている番組Ｃ１は、その電子番組表内における表示領域が他の番組の表示領域と色を変えて表示されることが、カーソルで指示されていることになるが、図４では、ハッチングで囲むことにより表現している。
【００６２】
さらに、この電子番組表には、その図中下部に、上記リモートコントローラ１７のカラーキー１７ｍの各色（青，赤，緑，黄）にそれぞれ対応させて、その色のカラーキー１７ｍが操作されたときに実現される機能が表示されている。
【００６３】
そして、この電子番組表は、リモートコントローラ１７のカーソルキー１７ｆを操作することにより、上下左右方向に選択的にスクロールさせることが可能である。また、リモートコントローラ１７のページ切換キー１７ｉを操作すれば、電子番組表を１画面単位で上下左右方向に選択的にスキップさせることが可能である。
【００６４】
この場合、時間軸方向にスクロールやスキップが行なわれると、各時間枠７４１〜７４５に表示される時間と、その時間に対応する番組情報とは、それぞれ移動後の時間及び番組情報に変更されることになる。また、チャンネル軸方向にスクロールやスキップが行なわれた場合、各チャンネル表示枠７３１〜７３６に表示される放送局及びチャンネルと、それに対応する番組情報とは、それぞれ移動後の放送局及びチャンネルと番組情報とに変更されることになる。
【００６５】
ここで、上記した番組記録制御部６３ｅの動作について具体的に説明する。すなわち、映像表示器１４に図４に示したような電子番組表が表示されている状態で、ユーザが、リモートコントローラ１７のカーソルキー１７ｆを操作して視聴を希望する番組を選択し、決定キー１７ｇを操作する。
【００６６】
すると、番組記録制御部６３ｅは、図５に示すような視聴希望登録画面を映像表示器１４に表示させる。そして、ユーザが、この視聴希望登録画面上で、リモートコントローラ１７のカーソルキー１７ｆを操作して「はい」の項目を選択し、決定キー１７ｇを操作することにより、その番組が視聴希望番組として登録される。
【００６７】
この場合、視聴希望番組の登録は、その番組の番組情報を、上記ＲＡＭ６３ｃ、不揮発性メモリ６３ｄ，ＨＤＤ７２等のいずれかに記憶させることにより行なわれる。そして、視聴希望番組として登録された番組は、その電子番組表内における表示領域が他の番組の表示領域と色を変えて表示される。
【００６８】
図６は、同一時間帯に重ならずに放送される複数（図示の場合は５つ）の番組Ｃ１，Ｆ３，Ｄ３，Ｃ４，Ｅ５が、視聴希望番組として登録された場合の、電子番組表上における表示形態の一例を示している。図６では、ハッチングで囲んだ部分が、登録された視聴希望番組を示している。
【００６９】
図７は、図６に示したように、同一時間帯に重ならずに放送される、複数（図示の場合は５つ）の番組Ｃ１，Ｆ３，Ｄ３，Ｃ４，Ｅ５が、視聴希望番組として登録された場合の、番組記録制御部６３ｅの処理動作をまとめたフローチャートを示している。すなわち、処理が開始（ステップＳ１）されると、番組記録制御部６３ｅは、ステップＳ２で、視聴希望番組が登録されているか否かを判別し、登録されていないと判断された場合（ＮＯ）、処理を終了（ステップＳ７）する。
【００７０】
また、上記ステップＳ２で視聴希望番組が登録されていると判断された場合（ＹＥＳ）、番組記録制御部６３ｅは、ステップＳ３で、視聴希望番組として登録されている番組が、現在選局されている、つまり、視聴中であるか否かを判別し、視聴中であると判断された場合（ＹＥＳ）、処理を終了（ステップＳ７）する。
【００７１】
この場合、視聴希望番組として登録されている番組が視聴中であるか否かは、例えばその番組が１分程度連続して選局されている状態を、視聴している状態であると判断し、それ以外（例えばチャンネルを数秒単位で連続的に切り替えていくザッピング等）の状態では、視聴しているとは判断しないようにしている。
【００７２】
さらに、上記ステップＳ３で視聴希望番組が視聴中でない（例えば、視聴希望番組として設定した番組以外の番組を視聴している場合や、デジタルテレビジョン放送受信装置１１の待機電源がオフされている状態等）と判断された場合（ＮＯ）、番組記録制御部６３ｅは、ステップＳ４で、記録可能な状態となっているデジタル記録機器が存在するか否かを判別する。
【００７３】
そして、記録可能なデジタル記録機器が存在しないと判断された場合（ＮＯ）、番組記録制御部６３ｅは、ステップＳ５で、その番組が記録できない旨を画面表示させるとともに番組記録リストを作成して、処理を終了（ステップＳ７）する。
【００７４】
また、上記ステップＳ４で記録可能なデジタル記録機器が存在すると判断された場合（ＹＥＳ）、番組記録制御部６３ｅは、ステップＳ６で、その番組を記録可能なデジタル記録機器で記録させるように制御するとともに、記録が開始されたことを画面表示させる。この場合、日付、番組名、記録先のデジタル記録機器名等の情報も表示させる。そして、その番組の記録終了後に番組記録リストを作成して、処理を終了（ステップＳ７）する。
【００７５】
なお、上記ステップＳ３で視聴希望番組が視聴中でないと判断され、ステップＳ６でその番組の記録が実行されている最中に、当該番組をユーザが選局して視聴し始めた場合には、ユーザが視聴を希望した番組であり、かつ、その番組の視聴し始める前の部分を視聴していないということもあるため、その番組が終了するまでは記録を継続させる。
【００７６】
図８は、番組記録リストの一例を示している。この番組記録リストでは、番組Ｃ１が内蔵のＨＤＤ７２に記録され、番組Ｆ３が内蔵のＨＤＤ７２に記録され、番組Ｄ３が外部のＤＶＤレコーダ２９に記録され、番組Ｃ４が外部のＤＶＤレコーダ２９に記録され、番組Ｅ５が記録されなかったことを示している。
【００７７】
この番組記録リスト上において、ユーザが、記録されている番組の中から、リモートコントローラ１７のカーソルキー１７ｆを操作して希望する番組を選択し、決定キー１７ｇを操作すると、その番組がデジタル記録機器から再生されて視聴することができる。
【００７８】
図９は、同一時間帯に重なって放送される複数（図示の場合は５つ）の番組Ｃ１，Ａ１，Ａ２，Ｅ３，Ｂ３が、視聴希望番組として登録された場合の、電子番組表上における表示形態の一例を示している。図９では、ハッチングで囲んだ部分が、登録された視聴希望番組を示している。この場合、登録された番組には、その番組の表示領域内に、設定された順序で優先順位（１），（２），（３），（４）が付されている。なお、優先順位については、ユーザの操作によって設定することもできる。
【００７９】
図１０及び図１１は、図９に示したように、同一時間帯に重なって放送される複数（図示の場合は５つ）の番組Ｃ１，Ａ１，Ａ２，Ｅ３，Ｂ３が、視聴希望番組として登録された場合の、番組記録制御部６３ｅの処理動作をまとめたフローチャートを示している。すなわち、処理が開始（ステップＳ８）されると、番組記録制御部６３ｅは、ステップＳ９で、視聴希望番組が登録されているか否かを判別し、登録されていないと判断された場合（ＮＯ）、処理を終了（ステップＳ１８）する。
【００８０】
また、上記ステップＳ９で視聴希望番組が登録されていると判断された場合（ＹＥＳ）、番組記録制御部６３ｅは、ステップＳ１０で、同一時間帯に視聴希望番組として登録されている番組のうち、図１に示した現在のシステムで同時に受信可能な番組数を取得し、ステップＳ１１で、その番組の中でいずれかの番組が現在選局されている、つまり、視聴中であるか否かを判別する。
【００８１】
そして、視聴中であると判断された場合（ＹＥＳ）、番組記録制御部６３ｅは、ステップＳ１２で、同一時間帯に視聴希望番組として登録され、現在のシステムで同時に受信可能な番組数から、現在視聴している番組の数である１を減算する。
【００８２】
このステップＳ１２の後、または、上記ステップＳ１１で視聴希望番組として登録されている番組のうち、いずれの番組も現在視聴中でない（例えば、視聴希望番組として設定した番組以外の番組を視聴している場合や、デジタルテレビジョン放送受信装置１１の電源がオフされている状態等）と判断された場合（ＮＯ）、番組記録制御部６３ｅは、ステップＳ１３で、記録可能な状態となっているデジタル記録機器の台数を取得する。
【００８３】
その後、番組記録制御部６３ｅは、ステップＳ１４で、記録可能なデジタル記録機器の台数が、ステップＳ１２で得られた同時に受信可能な番組数以上であるか否か、つまり、機器数≧番組数であるか否かを判別する。
【００８４】
そして、記録可能なデジタル記録機器の台数が同時に受信可能な番組数以上であると判断された場合（ＹＥＳ）、番組記録制御部６３ｅは、ステップＳ１５で、同一時間帯に視聴希望番組として登録された番組のうち現在視聴していない番組を、記録可能なデジタル記録機器を用いて全て記録し、記録が開始されたことを画面表示させる。この場合、日付、番組名、記録先のデジタル記録機器名等の情報も表示させる。そして、各番組の記録終了後に番組記録リストを作成して、処理を終了（ステップＳ１８）する。
【００８５】
また、上記ステップＳ１４で記録可能なデジタル記録機器の台数が同時に受信可能な番組数に満たないと判断された場合（ＮＯ）、番組記録制御部６３ｅは、ステップＳ１６で、同一時間帯に視聴希望番組として登録された各番組の優先順位を取得し、ステップＳ１７で、同一時間帯に視聴希望番組として登録された番組のうち現在視聴していない番組を、優先順位に基づいて記録可能なデジタル記録機器を用いて記録し、記録が開始されたことを画面表示させる。この場合、日付、番組名、記録先のデジタル記録機器名等の情報も表示させる。また、記録できなかった番組については、その旨を画面表示させる。そして、各番組の記録終了後に番組記録リストを作成して、処理を終了（ステップＳ１８）する。
【００８６】
図１２は、同一時間帯に視聴希望番組として複数の番組が登録されたときの番組記録リストの一例を示している。この番組記録リストでは、番組Ｃ１が内蔵のＨＤＤ７２に記録され、番組Ａ１が外部のＤＶＤレコーダ２９に記録され、番組Ａ２が外部のＤＶＤレコーダ２９に記録され、番組Ｅ３が内蔵のＨＤＤ７２に記録され、番組Ｂ３が記録されなかったことを示している。
【００８７】
また、この番組記録リスト上においても、ユーザが、記録されている番組の中から、リモートコントローラ１７のカーソルキー１７ｆを操作して希望する番組を選択し、決定キー１７ｇを操作すると、その番組がデジタル記録機器から再生されて視聴することができる。
【００８８】
上記した実施の形態によれば、電子番組表から視聴を希望する番組を選択し登録することで、その番組が自動的に記録されるので、デジタル記録機器毎や番組毎に個別に記録予約を設定する手間が省ける。これにより、例えば、新聞やテレビジョン情報誌等の番組欄に印をつけるような感覚で、ユーザが視聴を希望する番組の視聴を行なうことができる。また、登録した視聴希望番組を視聴している場合は、その番組を記録しないようにしているので、番組を視聴したいというユーザの要求を満足させつつ、デジタル記録機器の容量を節約することができる。
【００８９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００９０】
【図１】この発明の実施の形態を示すもので、デジタルテレビジョン放送受信装置とそれを中心として構成されるネットワークシステムの一例を説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置で表示される電子番組表の表示形態の一例を説明するために示す図。
【図５】同実施の形態におけるデジタルテレビジョン放送受信装置で表示される視聴希望設定画面の一例を説明するために示す図。
【図６】同実施の形態におけるデジタルテレビジョン放送受信装置で視聴希望番組が設定されたときの電子番組表の一例を説明するために示す図。
【図７】同実施の形態におけるデジタルテレビジョン放送受信装置が備える番組記録制御部の処理動作の一例を説明するために示すフローチャート。
【図８】同実施の形態におけるデジタルテレビジョン放送受信装置で表示される番組記録リストの表示形態の一例を説明するために示す図。
【図９】同実施の形態におけるデジタルテレビジョン放送受信装置で視聴希望番組が設定されたときの電子番組表の他の例を説明するために示す図。
【図１０】同実施の形態におけるデジタルテレビジョン放送受信装置が備える番組記録制御部の処理動作の他の例の一部を説明するために示すフローチャート。
【図１１】同実施の形態におけるデジタルテレビジョン放送受信装置が備える番組記録制御部の処理動作の他の例の残部を説明するために示すフローチャート。
【図１２】同実施の形態におけるデジタルテレビジョン放送受信装置で表示される番組記録リストの表示形態の他の例を説明するために示す図。
【符号の説明】
【００９１】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ＩＥＥＥ１３９４端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…ＴＳ復号器、４８…信号処理部、４９…アンテナ、５０…入力端子、５１…チューナ、５２…ＯＦＤＭ復調器、５３…ＴＳ復号器、５４…チューナ、５５…アナログ復調器、５６…グラフィック処理部、５７…音声処理部、５８ａ〜５８ｄ…入力端子、５９…ＯＳＤ信号生成部、６０…映像処理部、６１…出力端子、６２…出力端子、６３…制御部、６３ａ…ＣＰＵ、６３ｂ…ＲＯＭ、６３ｃ…ＲＡＭ、６３ｄ…不揮発性メモリ、６３ｅ…番組記録制御部、６４…カードＩ／Ｆ、６５…カードホルダ、６６…カードＩ／Ｆ、６７…カードホルダ、６８…通信Ｉ／Ｆ、６９…通信Ｉ／Ｆ、７０…ＵＳＢ Ｉ／Ｆ、７１…ＩＥＥＥ１３９４ Ｉ／Ｆ、７２…ＨＤＤ、７３１〜７３６…チャンネル表示枠、７４１〜７４５…時間枠。
【図１】
2010041124.tif 000003
【図２】
2010041124.tif 000004
【図３】
2010041124.tif 000005
【図４】
2010041124.tif 000006
【図５】
2010041124.tif 000007
【図６】
2010041124.tif 000008
【図７】
2010041124.tif 000009
【図８】
2010041124.tif 000010
【図９】
2010041124.tif 000011
【図１０】
2010041124.tif 000012
【図１１】
2010041124.tif 000013
【図１２】
2010041124.tif 000014